(57)【要約】【課題】表示の処理を外部から簡単に行うことができる電気泳動表示装置及び電子機器を提供すること。【解決手段】筐体のうち平面視で表示領域に重なる位置であって共通電極に対して電気泳動物質層を挟む位置に対向電極が設けられており、当該対向電極に電気的に接続された端子が筐体に設けられているので、端子に電圧を印加することにより対向電極の電圧を制御することができる。対向電極の電圧を制御することにより共通電極と対向電極との間に所定の電界を発生させることができるので、当該電界によって電気泳動物質層の挙動を制御することができる。これにより、外部からの表示の処理を簡単に行うことができる。【選択図】図２
2009186767.tif 000002
【特許請求の範囲】
【請求項１】
筐体と、
前記筐体に保持され、表示領域を有する第１基板と、
共通電極を有する第２基板に電気泳動物質層及び接着層が設けられ、前記第１基板の前記表示領域に貼り合わされた電気泳動シートと、
前記筐体に設けられ、前記共通電極に電気的に接続された端子と
を備えることを特徴とする電気泳動表示装置。
【請求項２】
筐体と、
前記筐体に保持され、表示領域に素子及び画素電極が設けられた第１基板と、
共通電極を有する第２基板に電気泳動物質層及び接着層が設けられ、前記第１基板の前記表示領域に貼り合わされた電気泳動シートと、
前記筐体のうち平面視で前記表示領域に重なる位置であって前記共通電極に対して前記電気泳動物質層を挟む位置に設けられた対向電極と、
前記筐体に設けられ、前記対向電極に前記電気的に接続された端子と
を備えることを特徴とする電気泳動表示装置。
【請求項３】
前記端子は、前記筐体の外部に対して少なくとも一部が露出している
ことを特徴とする請求項１又は請求項２に記載の電気泳動表示装置。
【請求項４】
前記端子は、前記筐体の前記第１基板側の表面及び前記電気泳動シート側の表面のうち少なくとも一方に露出している
ことを特徴とする請求項３に記載の電気泳動表示装置。
【請求項５】
前記端子は、平面視で前記筐体の端辺に接する位置に設けられている
ことを特徴とする請求項１から請求項４のうちいずれか一項に記載の電気泳動表示装置。
【請求項６】
前記端子は、前記筐体のうち前記第１基板側の表面及び前記電気泳動シート側の表面にそれぞれ設けられている
ことを特徴とする請求項１から請求項５のうちいずれか一項に記載の電気泳動表示装置。
【請求項７】
前記端子は、前記筐体の中心線に対して対称となる位置にそれぞれ設けられている
ことを特徴とする請求項１から請求項６のうちいずれか一項に記載の電気泳動表示装置。
【請求項８】
前記端子の外面は、前記筐体の外面に対して凹んだ位置に配置されている
ことを特徴とする請求項１から請求項７のうちいずれか一項に記載の電気泳動表示装置。
【請求項９】
請求項１から請求項８のうちいずれか一項に記載の電気泳動表示装置を備えることを特徴とする電子機器。
【発明の詳細な説明】
【技術分野】
【０００１】
本発明は、電気泳動表示装置及び電子機器に関する。
【背景技術】
【０００２】
透明基板に電気泳動物質層及び接着層が設けられてなる電気泳動シートを素子や回路などの設けられた素子基板に貼り付けた電気泳動表示装置が知られている。素子基板には素子及び回路に接続された端子が設けられており、この端子を介して外部の電気回路に接続されるようになっている。電気泳動表示装置は、例えば電子ペーパーや電子ブックなどの表示部に用いられている（例えば、特許文献１及び特許文献２参照）。
【０００３】
これらの電気泳動表示装置は、表示保持性（表示記憶性）を有しているため、書き込まれた表示内容を維持するために電力を殆ど必要としないという特性を有している。このため、例えば、表示データの書き込み時のみに外部装置から表示データと電力とを供給して表示を更新し、以降は、電力を消費せずに表示内容を維持する単機能電子ペーパーも提案されている。
一方、この表示保持性という特性により、書き込まれた表示内容はそのまま維持されるため、例えば、個人情報などの機密情報が書き込まれた単機能電子ペーパーを破棄する場合において、簡便に表示データを消去する手段が求められていた。
また、電池などの電源を内蔵し、当該電源の電力によって表示行う一般の電子ペーパーであっても、例えば、落下などにより、当該電子ペーパーが壊れてしまい、単独で表示データの消去ができなくなってしまった場合においても、表示データを消去する手段が求められていた。
【特許文献１】特表２００５−５３６７７３号公報
【特許文献２】特表２００６−５１９４１３号公報
【発明の開示】
【発明が解決しようとする課題】
【０００４】
このように、書込や消去などの処理を外部から行うこと、特に、表示データの消去を外部から簡便に行うことが可能な電気泳動表示装置が求められるようになった。  
上記のような事情に鑑みて、本発明の目的は、表示の処理を外部から簡単に行うことができる電気泳動表示装置及び電子機器を提供することにある。
【課題を解決するための手段】
【０００５】
上記目的を達成するため、本発明に係る電気泳動表示装置は、筐体と、前記筐体に保持され、表示領域に素子及び画素電極が設けられた第１基板と、共通電極を有する第２基板に電気泳動物質層及び接着層が設けられ、前記第１基板の前記表示領域に貼り合わされた電気泳動シートと、前記筐体に設けられ、前記共通電極に電気的に接続された端子とを備えることを特徴とする。
【０００６】
本発明によれば、共通電極に電気的に接続された端子が筐体に設けられているので、当該端子に電圧を印加することにより共通電極の電圧を制御することができる。これにより、外部からの表示の処理を簡単に行うことができる。
【０００７】
本発明に係る電気泳動表示装置は、筐体と、前記筐体に保持され、表示領域を有する第１基板と、共通電極を有する第２基板に電気泳動物質層及び接着層が設けられ、前記第１基板の前記表示領域に貼り合わされた電気泳動シートと、前記筐体に設けられ、前記共通電極に電気的に接続された端子とを備えることを特徴とする。
【０００８】
本発明によれば、筐体のうち平面視で表示領域に重なる位置であって共通電極に対して電気泳動物質層を挟む位置に対向電極が設けられており、当該対向電極に電気的に接続された端子が筐体に設けられているので、端子に電圧を印加することにより対向電極の電圧を制御することができる。対向電極の電圧を制御することにより共通電極と対向電極との間に所定の電界を発生させることができるので、当該電界によって電気泳動物質層の挙動を制御することができる。これにより、外部からの表示の処理を簡単に行うことができる。
【０００９】
上記の電気泳動表示装置は、前記端子は、前記筐体の外部に対して少なくとも一部が露出していることを特徴とする。  
本発明によれば、端子が筐体の外部に対して少なくとも一部が露出していることとしたので、外部との間で電気的に接触しやすい構成にすることができる。
【００１０】
上記の電気泳動表示装置は、前記端子は、前記筐体の前記第１基板側の表面及び前記電気泳動シート側の表面のうち少なくとも一方に露出していることを特徴とする。  
本発明によれば、端子が筐体の第１基板側の表面及び電気泳動シート側の表面のうち少なくとも一方に露出していることとしたので、電気泳動表示装置の構成に合わせて端子の配置の自由度を高くすることができる。また、端子が筐体の第１基板側表面に設けられている場合、表示面である電気泳動シート上の表示を確認しながら消去動作を行うことができるという利点がある。更に、端子が筐体の第１基板側表面及び電気泳動シート側表面の両側に露出している場合には、両側から電圧を印加することができるので、外部からの表示の処理の簡単化に資することにもなる。
【００１１】
上記の電気泳動表示装置は、前記端子は、平面視で前記筐体の端辺に接する位置に設けられていることを特徴とする。  
本発明によれば、端子が平面視で筐体の端辺に接する位置に設けられていることとしたので、複数の電気泳動表示装置を重ねて一括して消去処理を行うことができる。これにより、外部からの表示の処理を一層簡単にすることができる。
【００１２】
上記の電気泳動表示装置は、前記端子は、前記筐体のうち前記第１基板側の表面及び前記電気泳動シート側の表面にそれぞれ設けられていることを特徴とする。  
本発明によれば、端子が筐体のうち第１基板側の表面及び電気泳動シート側の表面にそれぞれ設けられていることとしたので、両側から電圧を印加することができる。これにより、外部からの表示の処理を簡単化することができる。
【００１３】
上記の電気泳動表示装置は、前記端子は、前記筐体の中心線に対して対称となる位置にそれぞれ設けられていることを特徴とする。  
本発明によれば、端子が筐体の中心線に対して対称となる位置にそれぞれ設けられていることとしたので、外部から表示を消去する際の電気泳動表示装置の表裏の位置に関係なく消去を行うことができる。
【００１４】
上記の電気泳動表示装置は、前記端子の外面は、前記筐体の外面に対して凹んだ位置に配置されていることを特徴とする。  
本発明によれば、端子の外面は、筐体の外面に対して凹んだ位置に配置されていることとしたので、端子の外面と筐体の外面との間に段差を形成することができる。これにより、例えば電気泳動表示装置の使用時等に誤って外部部品等が端子に接触するのを防ぐことができる。
【００１５】
本発明に係る電子機器は、上記の電気泳動表示装置を備えることを特徴とする。  
本発明によれば、表示の処理を簡単に行うことができる電気泳動表示装置を備えることとしたので、幅広く用いることができる電子機器を得ることができる。
【発明を実施するための最良の形態】
【００１６】
［第１実施形態］  
以下、図面を参照して本発明の第１実施形態を説明する。  
図１は本実施形態に係る電気泳動表示装置１の概略構成を示す斜視図である。  
同図に示すように、電気泳動表示装置１は、筐体１１、電気泳動表示パネル１２及び端子１３を備えており、電気泳動表示パネル１２が筐体１１に保持された構成になっている。
【００１７】
筐体１１には開口部１１ａが設けられており、当該開口部１１ａから電気泳動表示パネル１２の表示領域が露出している。筐体１１のうち図中下側の端面には切り欠き部１１ｂが設けられており、当該切り欠き部１１ｂから例えば金属などからなる端子１３が露出している。切り欠き部１１ｂは筐体１１の表面（開口部１１ａが設けられた面）１１ｃから裏面（表面１１ｃと反対側の面）１１ｄにかけて設けられている。端子１３は当該切り欠き部１１ｂにおいて筐体１１の外面（表面１１ｃ、裏面１１ｄ及び端面１１ｅ）に露出している。端子１３の外表面１３ａは筐体１１の外面に対してそれぞれ凹んだ位置に配置されている。
また、端子１３を使用しない場合には、端子１３を覆うとともに、切り欠き部１１ｂに勘合する樹脂製の目隠しキャップ（図示せず）が取り付けられている。この目隠しキャップを設けたことにより、端子１３を機械的に保護することができ、また、端子１３からノイズが入って、表示に影響を及ぼすことを防止することができる。
【００１８】
図２は図１におけるＡ−Ａ断面に沿った構成を示す図である。  
同図に示すように、筐体１１に保持された電気泳動表示パネル１２は、素子基板２と、電気泳動シート３とを備えており、素子基板２に電気泳動シート３が貼り合わされた構成になっている。この電気泳動表示パネル１２には静止画や動画等の画像を表示する表示領域５が設けられている。表示領域５内にはマトリクス状に配列された複数の画素が設けられており、画素ごとに表示が行われるようになっている。
【００１９】
素子基板２は、基板２０と、当該基板上に形成された画素電極などを含む駆動層２１を有している。基板２０としては、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などを用いることができる。基板２０のうち表示領域５に対応する領域には各画素について画素電極２１が形成されている。この画素電極２１にはそれぞれスイッチング素子が接続されており、当該スイッチング素子に接続されるデータ線及び走査線などが形成されている。
【００２０】
電気泳動シート３は透明基板３０及び電気泳動層３１を有している。  
透明基板３０は電気泳動層３１を保持する基板であり、例えばポリエチレンテレフタレート（ＰＥＴ）、ポリエーテルスルホン（ＰＥＳ）、ポリカーボネイト（ＰＣ）など光透過性の高い材料からなる矩形の基板である。透明基板３０の表面３０ａ側は電気泳動表示装置１の表示面側になっている。透明基板３０の内面３０ｂには、ほぼ全面に共通電極３５が形成されている。共通電極３５は例えばＩＴＯなどの光透過性の高い導電材料で構成されており、不図示の上下導通材によって素子基板２に接続されている。また、この共通電極３５は筐体１１の内部に形成された配線１５を介して端子１３に電気的に接続されている。
つまり、共通電極３５の電位と端子１３の電位とが同一電位となるように構成されている。
【００２１】
電気泳動層３１は複数のマイクロカプセル（電気泳動物質層）３２及び接着層３３を有している。  
マイクロカプセル３２は電気泳動分散液が封入された略球状のカプセルであり、各カプセルの直径はほぼ同一（５０μｍ〜１００μｍ）になっている。マイクロカプセル３２のカプセル壁膜を形成する材料としては、アラビアガム・ゼラチンの複合膜、ウレタン樹脂、ウレア樹脂、尿素樹脂などの化合物が挙げられる。マイクロカプセル３２に封入された電気泳動分散液は、電気泳動粒子及び当該複数の電気泳動粒子と、当該電気泳動粒子を分散させる液層分散媒とからなる。
【００２２】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００２３】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２４】
マイクロカプセル３２には、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００２５】
接着層３３は、バインダを兼ねた熱硬化タイプの接着剤である。接着層３３としては、マイクロカプセル３２のカプセル壁膜に対する親和性が良好で、共通電極および画素電極に対する接着性に優れ、かつ絶縁性の良い接着剤であることが好ましい。また、熱硬化タイプではあるが、硬化後も弾性がある接着剤が好ましい。
【００２６】
次に、上記のように構成された電気泳動表示装置１の動作を簡単に説明する。  
画素電極２１と共通電極３５との間において、共通電極３５の電圧が相対的に高くなるように電圧を印加すると、正に帯電された黒色の電気泳動粒子はクーロン力によってマイクロカプセル３２内のうち画素電極２１側に引き寄せられる。一方、負に帯電された白色の電気泳動粒子はクーロン力によってマイクロカプセル３２内の共通電極３５側に引き寄せられる。この結果、マイクロカプセル３２内の透明基板３０側には白色の電気泳動粒子が集まることになり、電気泳動表示装置１の表示領域５にはこの白色の電気泳動粒子の色（白色）が表示されることとなる。
【００２７】
逆に、画素電極２１の電位が共通電極３５よりも相対的に高くなるように電圧を印加すると、負に帯電された白色の電気泳動粒子はクーロン力によって画素電極２１側に引き寄せられる。一方、正に帯電された黒色の電気泳動粒子はクーロン力によって共通電極３５側に引き寄せられる。この結果、マイクロカプセル３２内の透明基板３０側には黒色の電気泳動粒子が集まることになり、電気泳動表示装置１の表示領域５には黒色の電気泳動粒子の色（黒色）が表示されることとなる。
【００２８】
図３は、上記の電気泳動表示装置１の表示を外部から制御するための表示データ入力（消去）装置５０の構成を示す図である。  
同図に示すように、表示データ入力装置５０は、電気泳動表示装置１を収容する収容部５１と、電気泳動表示装置１が収容された状態において電気泳動表示パネル１２の表示領域５に平面視で重なる位置に設けられた対向電極５２と、電気泳動表示装置１が収容された状態において端子１３に当接する部分に設けられた接続電極５３と、当該接続電極５３に供給する電圧及び対向電極５２の電圧を制御する制御部５４とを有している。
【００２９】
この表示データ入力装置５０の収容部５１に電気泳動表示装置１を収容することにより、電気泳動表示パネル１２の電気泳動層３１が共通電極３５と対向電極５２との間に挟まれた位置に配置されることになる。また、電気泳動表示装置１の端子１３に接続電極５３が接続されることになる。制御部５４によって接続電極５３に供給される電圧が所定の電圧に制御されているため、接続電極５３に電気的に接続される端子１３及び共通電極３５にはこの所定の電圧と同一の電圧が印加されることになる。
【００３０】
この状態において、共通電極３５と対向電極５２との間でマイクロカプセル３２内の電気泳動粒子の挙動に影響を与えるのに十分な電界が形成されることになる。例えば接続電極５３に印加される電圧と対向電極５２に印加される電圧とを制御することにより、収容部５１に収容される電気泳動表示装置１の表示領域５全体の表示が白あるいは黒となるように制御できる。
具体的には、例えば、共通電極３５に＋２０Ｖを印加するとともに、対向電極５２に０Ｖを印加する。これにより、電気泳動層３１には、２０Ｖの電位差が印加されるため、収容された電気泳動表示装置１の表示は「白」表示となる。他方、共通電極３５に０Ｖを印加するとともに、対向電極５２に＋２０Ｖを印加すると、電気泳動表示装置１の表示は「黒」表示となる。
なお、電気泳動表示装置１単独の状態で表示を書き込む場合は、電極間の電位差は１５Ｖ程度で行われるが、電気泳動表示装置１を用いて表示を書き込む（消去する）場合には、通常の電位差より大きな電位差を印加することが好ましい。これは、単独状態における共通電極３５と画素電極との間隙に比べて、表示データ入力装置５０に収納された状態の共通電極３５と対抗電極５２との間隙の方が大きいため、書き換え（消去）に要する電位差が大きくなるためである。
なお、電位差は２０Ｖに限定するものではなく、収納される電気泳動表示装置１の特性に応じて適宜設定することが好ましい。また、表示データ入力装置５０の制御部５４は、例えば、０〜１００Ｖの範囲内で、接続電極５３に印加する電圧と、対向電極５２に印加する電圧とを、調整可能に設けられている。
また、収容部５１の材質を透明にするか、電気泳動表示パネル１２の部分を開口部とすることにより、前述の書き換え（消去）状況を観察することもできる。
【００３１】
このように、本実施形態によれば、共通電極３５に電気的に接続された端子１３が筐体１１に設けられているので、当該端子１３に外部から電圧を印加することにより共通電極３５の電圧を制御することができる。これにより、外部からの表示の一括消去の処理を簡単に行うことができる。
【００３２】
［第２実施形態］  
次に、本発明の第２実施形態を説明する。本実施形態では、電気泳動表示装置の筐体の構成及び当該電気泳動表示装置を保持する表示データ入力装置の構成が第１実施形態とは異なっており、他の構成は第１実施形態とほぼ同一になっている。以下の記載においては、第１実施形態との相違点を中心に説明することとし、第１実施形態と構成が同一の箇所については第１実施形態と同一の符号を付し、その説明を省略あるいは簡略化する。
【００３３】
図４は本実施形態に係る電気泳動表示装置１０１の構成を示す断面図であり、第１実施形態における図２に対応している。  
同図に示すように、電気泳動表示装置１０１は、筐体１１１、電気泳動表示パネル１２及び端子１３を備えており、電気泳動表示パネル１２が筐体１１１に保持された構成になっている。
【００３４】
筐体１１１に保持された電気泳動表示パネル１２は、素子基板２及び電気泳動シート３を備えており、素子基板２に電気泳動シート３が貼り合わされた構成になっている。この電気泳動表示パネル１２には静止画や動画等の画像を表示する表示領域５が設けられている。表示領域５内にはマトリクス状に配列された複数の画素が設けられており、画素ごとに表示が行われるようになっている。
【００３５】
電気泳動シート３は透明基板３０及び電気泳動層３１を有している。電気泳動層３１は複数のマイクロカプセル（電気泳動物質層）３２と接着層３３とを有している。透明基板３０の内面３０ｂにはほぼ全面に共通電極３５が形成されている。ここで、本実施形態では、共通電極３５と端子１３との間は電気的に接続されていない。
【００３６】
筐体１１１の内面１２０上には、表示領域５に平面視で重なる位置に対向電極１２１が設けられている。したがって、本実施形態では、電気泳動層３１がはじめから共通電極３５と対向電極１２１との間に配置された構成になっている。対向電極１２１は内面１２０上に形成された配線１２２を介して端子１３に電気的に接続されている。
【００３７】
図５は、上記の電気泳動表示装置１０１の表示を外部から制御するための表示データ入力装置１５０の構成を示す図である。  
同図に示すように、表示データ入力装置１５０は、電気泳動表示装置１０１を載置する載置部１５１と、電気泳動表示装置１０１が載置された状態において端子１３に当接する部分に設けられた接続電極１５３と、当該接続電極１５３に供給する電圧を制御する制御部１５４とを有している。
【００３８】
この表示データ入力装置１５０の載置部１５１に電気泳動表示装置１０１を載置することにより、電気泳動表示装置１０１の端子１３に接続電極１５３が接続されることになる。制御部１５４によって接続電極１５３に供給される電圧が所定の電圧に制御されているため、接続電極１５３に電気的に接続される端子１３及び対向電極１２１にはこの所定の電圧と同一の電圧が印加されることになる。
【００３９】
この状態において、共通電極３５と対向電極１２１との間でマイクロカプセル３２内の電気泳動粒子の挙動に影響を与えるのに十分な電界が形成されることになる。例えば接続電極１５３に印加される電圧を制御することにより、電気泳動表示装置１０１の表示領域５全体の表示が白あるいは黒となるように制御できる。
【００４０】
このように、本実施形態によれば、筐体１１１のうち平面視で表示領域５に重なる位置であって共通電極３５に対して電気泳動層３１を挟む位置に対向電極１２１が設けられており、当該対向電極１２１に電気的に接続された端子１３が筐体１１１に設けられているので、端子１３に電圧を印加することにより対向電極１２１の電圧を制御することができる。対向電極１２１の電圧を制御することにより共通電極３５と対向電極１２１との間に所定の電界を発生させることができるので、当該電界によって電気泳動層３１の挙動を制御することができる。これにより、外部からの表示の処理を簡単に行うことができる。
【００４１】
［電子機器］  
次に、本発明に係る電子機器について説明する。  
図６は電子ペーパー５００の構成を示す斜視図である。電子ペーパー５００は、本発明の電気泳動表示装置を表示部５０１として備えている。電子ペーパー５００は可撓性を有し、従来の紙と同様の質感及び柔軟性を有する書換え可能なシートからなる本体５０２を備えて構成されている。
【００４２】
図７は、電子ノート６００の構成を示す斜視図である。電子ノート６００は、図６に示した電子ペーパー５００が複数枚束ねられ、カバー６０１に挟まれているものである。カバー６０１は、例えば表示データを入力する不図示の表示データ入力手段によって、電子ペーパーが束ねられた状態のまま、表示内容の変更や更新を行うことができるようになっている。
【００４３】
本発明の技術範囲は上記実施形態に限定されるものではなく、本発明の趣旨を逸脱しない範囲で適宜変更を加えることができる。  
例えば、上記実施形態においては、筐体１１のうち例えば図１に示す位置に端子を配置する構成であったが、これに限られることは無く、例えば同図に示す他の位置に端子を配置する構成であっても構わない。
【００４４】
また、上記実施形態においては端子を１つ配置する構成であったが、端子を複数配置する構成であっても構わない。端子を複数配置する場合、例えば図８に示すように、位置１１Ａと、電気泳動表示装置１の中心線αについて当該位置１１Ａに線対称の位置１１Ｂとにそれぞれ端子を配置する構成であっても構わない。また、この中心線αの方向に対して側面の位置１１Ｃ及び位置１１Ｄにそれぞれ端子を配置する構成であっても構わない。さらに、位置１１Ａ及び位置１１Ｂと対向する辺側の位置１１Ｅ及び位置１１Ｆにそれぞれ端子を配置する構成であっても構わない。このように、端子が筐体１１の中心線αに対して対称となる位置にそれぞれ設けられていることとしたので、外部から表示を消去する際の電気泳動表示装置１の表裏の位置に関係なく消去を行うことができる。
【００４５】
また、これらの位置１１Ａ〜位置１１Ｆは、いずれも平面視で筐体１１の端辺に接する位置となっている。このように、平面視で筐体１１の端辺に接する位置に端子を配置することにより、例えば図９に示すように電気泳動表示装置１を複数重ねて表示データ入力装置に保持させることができる。これにより、複数の電気泳動表示装置１の表示の処理を外部から一括して行うことができるので、表示の処理の効率化を図ることができる。また、図９に戻って、例えば平面視で筐体１１の端辺の内部の位置１１Ｇや位置１１Ｈに端子を配置しても構わない。
【図面の簡単な説明】
【００４６】
【図１】本発明の第１実施形態に係る電気泳動表示装置の構成を示す平面図。
【図２】本実施形態に係る電気泳動表示装置の構成を示す断面図。
【図３】本実施形態に係る表示データ入力装置の構成を示す図。
【図４】本発明の第２実施形態に係る電気泳動表示装置の構成を示す断面図。
【図５】本実施形態に係る表示データ入力装置の構成を示す図。
【図６】本実施形態に係る電子ペーパーの構成を示す図。
【図７】本実施形態に係る電子ブックの構成を示す図。
【図８】本発明に係る電気泳動表示装置の他の構成を示す平面図。
【図９】本発明に係る電気泳動表示装置の使用方法を示す図。
【符号の説明】
【００４７】
１、１０１…電気泳動表示装置  ２…素子基板  ３…電気泳動シート  １１、１１１…筐体  １１ａ…開口部  １１ｂ…切り欠き部  １１ｃ…表面  １１ｄ…裏面  １２…電気泳動表示パネル  １３…端子  １３ａ…外表面  １５、１２１…配線  ３１…電気泳動層  ３５…共通電極  ５０、１５０…表示データ入力装置  ５１…収容部  ５２、１２１…対向電極  ５３、１５３…接続電極  ５４、１５４…制御部  １２０…内面  １５０…表示データ入力装置  １５１…載置部  １５３…接続電極  １５４…制御部  ５００…電子ペーパー  ６００…電子ノート
【図１】
2009186767.tif 000003
【図２】
2009186767.tif 000004
【図３】
2009186767.tif 000005
【図４】
2009186767.tif 000006
【図５】
2009186767.tif 000007
【図６】
2009186767.tif 000008
【図７】
2009186767.tif 000009
【図８】
2009186767.tif 000010
【図９】
2009186767.tif 000011